(57)【要約】【課題】本考案は、本体と擬餌針体との一体感があって集魚効果に優れる、扱い易い擬似餌を提供することを目的とする。【解決手段】釣糸１を連結する本体２は、この本体２に連結する擬餌針体３を着脱自在に連結する擬餌針体連結部４を有し、この擬餌針体連結部４を、本体２内にスライド自在に設けたスライド体６の先端部に設け、本体２にスライド体６のスライドに際して伸縮して戻り付勢を生ずる付勢体５を設けて、付勢体５の戻り付勢に抗して前記スライド体６を手でスライドさせた際、擬餌針体連結部４が本体２に没入した状態から本体２から露出した状態になり、スライドさせた手を離すと付勢体５の戻り付勢により本体２に没入した状態に戻るように擬餌針体連結部４を構成した。【選択図】図１
0003172758.tif 000002
【実用新案登録請求の範囲】
【請求項１】
釣糸を連結する本体と、この本体に連結する擬餌針体とからなる擬似餌であって、前記本体は、前記擬餌針体を着脱自在に連結する擬餌針体連結部を有し、この擬餌針体連結部を、前記本体内にスライド自在に設けたスライド体の先端部に設け、前記本体に前記スライド体のスライドに際して伸縮して戻り付勢を生ずる付勢体を設けて、前記付勢体の戻り付勢に抗して前記スライド体を手でスライドさせた際、前記擬餌針体連結部が前記本体に没入した状態から前記本体から露出した状態になり、スライドさせた手を離すと前記付勢体の戻り付勢により前記本体に没入した状態に戻るように前記擬餌針体連結部を構成したことを特徴とする擬似餌。
【請求項２】
前記スライド体の基端部に前記釣糸を連結する釣糸連結部を設けると共に、前記釣糸連結部が前記本体から突出した状態となるように設けて、前記スライド体を前記本体内にスライド自在に設けた際、前記釣糸連結部を手で押圧して前記スライド体を前記付勢体の戻り付勢に抗してスライドするように構成したことを特徴とする請求項１記載の擬似餌。
【請求項３】
前記擬餌針体連結部は前記スライド体の先端部にフック部を設けたものであり、前記スライド体を手で押圧してスライドさせると、前記本体に没入した状態のフック部が露出してフック開口部が開放した状態になって前記擬餌針体が連結可能となり、前記スライド体をスライドさせている手を離すと、前記フック部が前記本体内に没入して戻って前記フック開口部が閉塞した状態になることで、前記フック部に前記擬餌針体を連結し得るように構成したことを特徴とする請求項１，２のいずれか１項に記載の擬似餌。
【請求項４】
前記擬餌針体は、可撓性を有する擬餌体と、釣針体とを束ね状態としたものであることを特徴とする請求項１〜３のいずれか１項に記載の擬似餌。
【請求項５】
前記本体は錘であり、この本体に設けた貫通孔に前記スライド体を挿通してこのスライド体を前記本体にスライド自在に設けたことを特徴とする請求項１〜４のいずれか１項に記載の擬似餌。
【請求項６】
前記付勢体は螺旋バネであり、この付勢体を前記スライド体に被嵌させた状態で前記本体に設けて前記スライド体をスライドさせた際に前記戻り付勢が生ずるように構成したことを特徴とする請求項１〜５のいずれか１項に記載の擬似餌。
【考案の詳細な説明】
【技術分野】
【０００１】
本考案は、釣りに用いる擬似餌に関するものである。
【背景技術】
【０００２】
従来から、毛鉤、フライ、ルアーなど各種擬似餌を用いた各種の釣りが愛好されている。これらの擬似餌では、昆虫や小魚に似せた擬餌体を設けて集魚効果を高めることや、対象魚に合わせた釣針体や擬似体を、使用状況や水域環境の変化に応じて速やかに交換できることが望まれている。
【０００３】
このような擬似餌として、例えば、特許文献１には、本体に釣針体及び擬餌体を着脱可能としたものが提案されており、具体的には、この特許文献１の擬似餌は、釣針体を本体に突設した取付体に縛って連結し、擬餌体はこの擬餌体に設けた抜止部材を本体に設けた取付孔に嵌挿することで、擬餌体を本体に着脱自在に連結できるように構成したものである。
【先行技術文献】
【特許文献】
【０００４】
【特許文献１】特開２００８−２１１９７６号公報
【考案の概要】
【考案が解決しようとする課題】
【０００５】
しかし、この特許文献1の擬似餌は、擬餌体と釣針体とが本体の全く異なる位置に別個に設けられているため、擬餌体と釣針体とが別々な動きをすることによって両者の動きが無関係になりやすく、また、釣針体を取付ける本体に設けてある取付体が露出しているため目立ち易く、従って、本体，擬餌体と釣針体との間に一体感を生じ難く、集魚効果に課題があった。
【０００６】
本考案は、本体と擬餌針体との一体感があって集魚効果に優れる、扱い易い擬似餌を提供することを目的とする。
【課題を解決するための手段】
【０００７】
添付図面を参照して本考案の要旨を説明する。
【０００８】
釣糸１を連結する本体２と、この本体２に連結する擬餌針体３とからなる擬似餌であって、前記本体２は、前記擬餌針体３を着脱自在に連結する擬餌針体連結部４を有し、この擬餌針体連結部４を、前記本体２内にスライド自在に設けたスライド体６の先端部に設け、前記本体２に前記スライド体６のスライドに際して伸縮して戻り付勢を生ずる付勢体５を設けて、前記付勢体５の戻り付勢に抗して前記スライド体６を手でスライドさせた際、前記擬餌針体連結部４が前記本体２に没入した状態から前記本体２から露出した状態になり、スライドさせた手を離すと前記付勢体５の戻り付勢により前記本体２に没入した状態に戻るように前記擬餌針体連結部４を構成したことを特徴とする擬似餌に係るものである。
【０００９】
また、前記スライド体６の基端部に前記釣糸１を連結する釣糸連結部11を設けると共に、前記釣糸連結部11が前記本体２から突出した状態となるように設けて、前記スライド体６を前記本体２内にスライド自在に設けた際、前記釣糸連結部11を手で押圧して前記スライド体６を前記付勢体５の戻り付勢に抗してスライドするように構成したことを特徴とする請求項１記載の擬似餌に係るものである。
【００１０】
また、前記擬餌針体連結部４は前記スライド体６の先端部にフック部10を設けたものであり、前記スライド体６を手で押圧してスライドさせると、前記本体２に没入した状態のフック部10が露出してフック開口部14が開放した状態になって前記擬餌針体３が連結可能となり、前記スライド体６をスライドさせている手を離すと、前記フック部10が前記本体２内に没入して戻って前記フック開口部14が閉塞した状態になることで、前記フック部10に前記擬餌針体３を連結し得るように構成したことを特徴とする請求項１，２のいずれか１項に記載の擬似餌に係るものである。
【００１１】
また、前記擬餌針体３は、可撓性を有する擬餌体８と、釣針体７とを束ね状態としたものであることを特徴とする請求項１〜３のいずれか１項に記載の擬似餌に係るものである。
【００１２】
また、前記本体２は錘であり、この本体２に設けた貫通孔９に前記スライド体６を挿通してこのスライド体６を前記本体２にスライド自在に設けたことを特徴とする請求項１〜４のいずれか１項に記載の擬似餌に係るものである。
【００１３】
また、前記付勢体５は螺旋バネであり、この付勢体５を前記スライド体６に被嵌させた状態で前記本体２に設けて前記スライド体６をスライドさせた際に前記戻り付勢が生ずるように構成したことを特徴とする請求項１〜５のいずれか１項に記載の擬似餌に係るものである。
【考案の効果】
【００１４】
本考案は上述のように構成したから、スライド体を手でスライドすると擬餌針体連結部が本体から露出し、このスライド体から手を離すと付勢体の戻り付勢によって擬餌針体連結部が本体に没入するから、スライド体を手でスライドするだけの簡単な操作で擬餌針体の着脱を簡単に行うことができ、また、擬餌針体を連結した擬餌針体連結部は本体に没入して目立ち難くできるから、本体と擬餌針体との一体感を増して不自然さを低減して集魚効果を向上できることになり、従って、集魚効果に優れる扱い易い酢擬似餌になる。
【００１５】
また、請求項２記載の考案においては、釣糸連結部を手で押圧してスライド体をスライドさせるだけで擬餌針体の着脱を速やかに行える簡易で実用的な構成になる。
【００１６】
また、請求項３記載の考案においては、スライド体をスライドさせてフック部を露出没入させるだけで擬餌針体を着脱できるから、一層扱い易い実用的な擬似餌になる。
【００１７】
また、請求項４記載の考案においては、擬餌体と釣針体とを束ね状態にしたから、擬餌体と釣針体とが一体になるから、本体との一体感が更に増すと共に、擬餌針体の着脱が更に容易になる。
【００１８】
また、請求項５記載の考案においては、本体２を錘としたから、他の錘を用いる必要が無く、この錘に擬餌針体を連結するだけで済むため、更に扱い易くなる。
【００１９】
また、請求項６記載の考案においては、螺旋バネをスライド体に被嵌させて本体に設けるだけであるから、一層簡易で実用的な構成の安価なものになる。
【図面の簡単な説明】
【００２０】
【図１】本実施例に係る擬似餌の斜視図である。
【図２】本実施例に係る擬似餌の分解状態の説明斜視図である。
【図３】本実施例に係る擬似餌の組込み状態の説明斜視図である。
【図４】本実施例に係る擬似餌の要部の説明斜視図ある。
【図５】本実施例に係る擬似餌の断面図（スライド体挿通状態）である。
【図６】本実施例に係る擬似餌の断面図（擬似体連結途時）である。
【図７】本実施例に係る擬似餌の断面図（擬似体連結状態）である。
【考案を実施するための形態】
【００２１】
好適と考える本考案の実施形態（考案をどのように実施するか）を、図面に基づいて本考案の作用を示して簡単に説明する。
【００２２】
本考案の本体２は、本体２内に設けたスライド体６を手でスライドすると本体２内に没入している擬餌針体連結部４が露出し、このスライド体６をスライドさせた手を離すと、本体２に設けた付勢体５の戻り付勢によって擬餌針体連結部４は本体２に没入して戻る。そこで、本体２に設けたスライド体６を手でスライドして擬餌針体連結部４を露出させて、この露出した擬餌針体連結部４に擬餌針体３を連結してスライド体６から手を離すと、擬餌針体３を連結した状態で擬餌針体連結部４が本体２内に没入した状態に戻り、擬餌針体３は擬餌針体連結部４に連結される。
【００２３】
また、本体２にはスライド体６のスライドに際して伸縮によって戻り付勢を生ずる付勢体５を設けてあるから、付勢体５の戻り付勢に抗して手でスライドさせて擬餌針体連結部４を本体２から露出させ、この擬餌針体連結部４に擬餌針体３を連結して、このスライド体６から手を離すと、付勢体５の戻り付勢によってスライド体６は自動的に本体２内に没入して戻る。
【００２４】
即ち、本体２に設けたスライド体６を手でスライドすると擬餌針体連結部４を本体２から露出させることができ、また、スライドした手を離すと擬餌針体連結部４が本体２に没入するから、スライド体６をスライド操作するだけの簡単な操作で擬餌針体３の着脱を簡単に行うことができ、また、擬餌針体３を本体２に手間を掛けることなく確実に連結できることになる。
【００２５】
また、擬餌針体３を連結した擬餌針体連結部４は、本体２に没入して目立ち難くできるため、擬餌針体３と本体２との一体感を増して不自然さを低減できるため集魚効果を向上できることになり、従って、集魚効果に優れる扱い易い擬似餌になる。
【００２６】
また、例えば、スライド体６の基端部に釣糸連結部11を設けると共に、釣糸連結部11が本体２から突出した状態となるように設ける場合には、スライド体６を本体２内にスライド自在に設けた際、例えば、釣糸連結部11に釣糸１を連結した状態で本体２から突出した釣糸連結部11を手で押圧してスライド体６をスライドさせると、擬餌針体連結部４が本体２から露出して擬餌針体３を着脱可能になって、この釣糸連結部11を押圧してスライド体６をスライドさせるだけで擬餌針体連結部４が露出して擬餌針体３の着脱が速やかに行える簡易で実用的な構成になる。
【００２７】
また、この場合、釣糸１をスライド体６の基端部である釣糸連結部11に連結し、この基端部に釣糸１を連結したスライド体６を本体２内に設け、スライド体６の先端部の擬餌針体連結部４に擬餌針体３を連結すると、擬餌針体３はスライド体６を介して釣糸１と連結され、この擬餌針体３を連結している擬餌針体連結部４は付勢体５の付勢によって本体２内に没入した状態に維持されるから、擬餌針体連結部４が本体２から露出して擬餌針体３脱落する虞を可及的に低減でき、擬餌針体３を本体２に確実に連結できる実用的な構成になる。
【００２８】
また、例えば、スライド体６の先端部にフック部10を設けて擬餌針体連結部４とした場合には、このフック部10に擬餌針体３を簡単確実に着脱できる。詳細には、スライド体６を手でスライドさせて没入した状態のフック部10を露出させるとフック開口部14が開放した状態になるから、このフック部10に擬餌針体３を簡単に着脱できることになり、また、スライド体６をスライドさせている手を離すと、フック部10が本体２内に没入して戻ってフック開口部14が閉塞した状態になるからフック部10に連結した擬餌針体３は確実に本体２に連結できて、例えば、擬餌針体３がフック部10から外れて脱落するような事態を可及的に低減できることになり、従って、スライド体６をスライドしてフック部10に擬餌針体３着脱するだけであるから一層扱い易い実用的な擬似餌になる。
【００２９】
また、例えば、擬餌針体３を、可撓性を有する擬餌体８と、釣針体７とを束ね状態にして構成した場合には、可撓性を有する擬餌体８を、例えば、昆虫などに似せて擬態作用を生じさせることによって対象魚の興味を惹いたり、この擬餌体８によって隠蔽作用を生じさせることによってこの擬餌体８と束ね状態にした釣針体７を目立ち難くすることもできから、擬餌針体３と本体２とを束ね状態にしたことによって両者の一体感を増して更に集魚効果を向上させることができると共に、擬餌体８と釣針体７とが束ね状態の擬餌針体３を本体２の擬餌針体連結部４に連結するだけであるから、擬餌針体３の着脱が一層容易になる。
【００３０】
また、例えば、本体２を錘とした場合には、他の錘を用いる必要が無く、この錘としての本体２に設けた貫通孔９にスライド体６を挿通してこのスライド体６に擬餌針体３を連結するだけで済むため、一層扱い易くなる。
【００３１】
また、例えば、付勢体５を螺旋バネとし、この付勢体５をスライド体６に被嵌させた状態で本体２に設けた場合には、螺旋バネを被嵌したスライド体６を本体２に設けるだけであるから、一層簡易で実用的な構成の安価なものになる。
【実施例】
【００３２】
本考案の具体的な実施例について図面に基づいて説明する。
【００３３】
本実施例は、釣糸１を連結する本体２と、この本体２に連結する擬餌針体３とからなる擬似餌であって、前記本体２は、前記擬餌針体３を着脱自在に連結する擬餌針体連結部４を有し、この擬餌針体連結部４を、前記本体２内にスライド自在に設けたスライド体６の先端部に設け、前記本体２に、前記スライド体６のスライドに際して伸縮して戻り付勢を生ずる付勢体５を設けて、前記付勢体５の戻り付勢に抗して前記スライド体６を手でスライドさせた際、前記擬餌針体連結部４が前記本体２に没入した状態から露出した状態になり、スライドさせた手を離すと前記付勢体５の戻り付勢により前記本体２に没入した状態に戻るように前記擬餌針体連結部４を構成した擬似餌である。
【００３４】
図１〜７の本実施例の擬似餌15は、流線型をした小形魚の頭部を模擬し、眼部17及び口部18を象った略球状の本体２の先端部となる口部18の部分に、可撓性を有する擬餌体８と、釣針体７とを結束して束ね状態にした擬餌針体３を連結し、道糸としての釣糸１を本体２の基端部（即ち、口部18を前側とした本体２の後端部）に連結して用いる構成である。また、本体２及び擬餌体８には対象魚に合わせた色彩模様を施し集魚効果を高めている。
【００３５】
擬餌針体３は、可撓性を有する弾性素材で形成し、昆虫などを擬態して対象魚の興味を惹いたり、釣針体７を隠蔽する作用を生ずる擬餌体８を備え、この擬餌体８の基端部を結束し、この結束した基端部に前記擬餌針体連結部４と連結する被連結部12を設けるように構成することで、擬餌針体３と本体２との一体感が増して不自然さを低減できるため集魚効果を向上できることになる。また、擬餌針体３の被連結部12を本体２の擬餌針体連結部４に連結するだけで済むため、擬餌針体３の着脱が容易になる。
【００３６】
本実施例の擬餌針体３は、更に、釣針７ａにハリス用の釣糸26を連結した釣針体７と、可撓性を有する弾性素材を加工して各種生物などを擬態する作用を生ずるようにすると共にこの釣針体７などを隠蔽する作用を奏する擬餌体８とを備え、この釣針体７及び擬餌体８夫々の基端部で結束して束ね状態にしたものであり、更に、この結束した基端部に本体２の擬餌針体連結部４と連結する被連結部12を設けることによって釣針体７及び擬餌体８の一体感を増して不自然さを一層低減することによって更に集魚効果を高めた構成である。
【００３７】
また、更に、擬餌針体３に設けた被連結部12は、金属線材を加工した環体19であり、この環体19を、釣針体７及び擬餌体８を結束した擬餌針体３の基端部に設けて、この環体19を擬餌針体連結部４に連結するように構成することにより、擬餌針体３の着脱や交換を容易にすると共に、更に、この環体19が本体２に嵌合して噛み合うように本体２の先端部に凹溝20を設け、この凹溝20に擬餌針体３が嵌合することで擬餌針体３と本体２とを安定した状態で確実に一体化した状態にできる構成である。
【００３８】
本実施例の擬餌針体３は、釣針体７及び擬餌体８を基端部の一箇所で結束して環体19を設けて、この環体19を擬餌針体連結部４に連結するように構成したが、釣針体７と擬餌体８とを夫々の基端部に対して夫々環体19を設けて、釣針体７と擬餌体８とを束ねた状態にして釣針体７の環体19及び擬餌体８の環体19を擬餌針体連結部４に連結するように構成すると、釣針体７と擬餌体８とを別々に交換することができると共に、本体２との一体感を確保できる擬餌針体３になり、更に利便性を向上させることができる。
【００３９】
なお、擬餌体８は、弾性素材を線状、帯状或いはネクタイ状に裁断して形成したものであるが、昆虫や草などを模擬したり、更に、適切な色彩を有してもよい。
【００４０】
従って、本実施例の擬似餌15は、擬餌針体３を擬餌体８で釣針体７を隠蔽して一体化することによって、釣針体７が目立ち難くなるだけでなく、擬餌針体３と本体２との一体感も増すため集魚効果に優れ、また、擬餌針体３の被連結部12を本体２の擬餌針体連結部４に連結するだけで済むため擬餌針体３の着脱も更に容易になるから、一層扱い易い実用的なものになる。
【００４１】
本体２は、上述したように魚の頭部を擬似し、眼部17及び口部18を象った略球状の錘であり、鉛などの金属材料をラバーキャスト法などによって成形したものである。また、この本体２は、この本体２の基端部（後端部）から先端部の口部18の部分を貫通する貫通孔９を設け、この貫通孔９に付勢体５として螺旋バネを付設したスライド体６を挿通して、スライド体６を本体２にスライド自在に設け、このスライド体６の先端に前記擬餌針体３を連結し得るようにした構成である。
【００４２】
このスライド体６の詳細は後述するが、このスライド体６の基端部に釣糸１を連結する釣糸連結部11を設けると共に、釣糸連結部11が本体２から突出した状態となるように設けて、スライド体６を本体２内の貫通孔９にスライド自在に設けた際、釣糸連結部11を手で押圧することによってスライド体６を付勢体５の戻り付勢に抗してスライドできるようにした構成である。
【００４３】
また、擬餌針体連結部４を、このスライド体６の先端部に設けたフック部10として構成すると、スライド体６を手で押圧してスライドした際、本体２に没入した状態のフック部10が露出してフック開口部14が開放した状態になって擬餌針体３を連結可能となり、また、このスライド体６をスライドさせている手を離すと、フック部10が本体２内に没入して戻ってフック開口部14が閉塞した状態になることで、このフック部10に擬餌針体３をワンタッチで簡単且つ確実に連結し得る構成になる。
【００４４】
本体２は、更に、口部18の部分に、擬餌体８の環体19を連結したフック部10がこの環体19と十字状に交差状態で噛み合って嵌合するように凹溝20を設け、この凹溝20に擬餌針体３の基端部に設けた環体19を嵌合させることで、擬餌体８と本体２とを確実に連結して両者の一体感を高めた構成である。
【００４５】
また、本体２に設けた貫通孔９の途中には段差を設けて、この段差を、スライド体６に付設した付勢体５を係止する係止部22とすることで、このスライド体６の擬餌針体連結部４を先端にして、付勢体５を付設したスライド体６を貫通孔９に挿通させた際、付勢体５がこの係止部22で係止され、この付勢体５が圧縮されることで、本体２内に挿通されたスライド体６に付勢が付与される構成である。
【００４６】
従って、本体２に設けた貫通孔９の中に付勢体５を付設した状態でスライド体６が設けられた状態になるから、スライド体６の基端部である釣糸連結部11を手で押圧してスライド体６を本体２の先端方向にスライドし、このスライド体６の先端部である擬餌針体連結部４のフック部10を本体２の貫通孔９から露出させ、このフック部10が露出した状態でフック部10に擬餌針体３を連結させ、このフック部10に擬餌針体３を連結した状態でスライド体６をスライドしている手を離すと、擬餌針体３を連結した状態でフック部10が付勢体５の戻り付勢によって本体２に自動的に没入して擬餌針体３を連結できることになる。
【００４７】
よって、スライド体６をスライド操作して擬餌針体３をフック部10にワンタッチで着脱することができるから、本体２への擬餌針体３の連結或いは交換作業を簡単且つ迅速に行えることになる。
【００４８】
また、スライド体６を本体２の貫通孔９に挿通してスライド自在に設けた際、スライド体６の基端部に設けた釣糸連結部11が本体２から突出した状態となるようにしたから、釣糸連結部11に釣糸１を連結した状態で本体２から突出した釣糸連結部11を手で押圧してスライド体６を本体２の先端方向にスライドさせると、スライド体６の先端部の擬餌針体連結部４が本体２から露出して擬餌針体３を着脱可能になって、擬餌針体３の着脱が速やかに行える簡易で実用的な構成になる。
【００４９】
また、この場合、釣糸１をスライド体６の基端部である釣糸連結部11に連結して、この基端部に釣糸１を連結したスライド体６を本体２内に設け、スライド体６の先端部の擬餌針体連結部４に擬餌針体３を連結すると、擬餌針体３はスライド体６を介して釣糸１と連結され、釣糸１を引っ張った場合には、スライド体６の擬餌針体連結部４に連結した擬餌針体３が直接、牽引されると共に、この擬餌針体３を連結している擬餌針体連結部４は付勢体５の付勢によって本体２内に没入した状態に維持されることになるから、擬餌針体連結部４が本体２から露出することを防止でき、擬餌針体３を本体２に確実に連結できることになる。
【００５０】
これに対して、釣糸連結部11をスライド体６の基端部にではなく、本体２に設けて、スライド体６の先端部に擬餌針体連結部４を設けるようにした場合には、釣糸１を引っ張ると、本体２とスライド体６とが互いに離反する方向に動くことになって、擬餌針体連結部４は本体２から露出し易くなってしまうため、擬餌針体連結部４に連結した擬餌針体３が脱落する可能性が生じてしまう。
【００５１】
また、スライド体６の先端部にフック部10を設けて擬餌針体連結部４としたから、このフック部10に擬餌針体３を簡単確実に着脱できる。詳細には、スライド体６を手でスライドさせて没入した状態のフック部10を露出させるとフック開口部14が開放した状態になるから、このフック部10に擬餌針体３を簡単に着脱できることになり、また、スライド体６をスライドさせている手を離すと、フック部10が本体２内に没入して戻ってフック開口部14が閉塞した状態になるからフック部10に連結した擬餌針体３は確実に本体２に連結できて、擬餌針体３がフック部10から外れて脱落するような事態を可及的に低減できることになり、従って、スライド体６をスライドしてフック部10に擬餌針体３着脱するだけの一層扱い易い実用的な擬似餌になる。
【００５２】
このスライド体６は、擬餌針体連結部４を先端部として、この先端部の逆方向となるスライド体６の基端部に釣糸連結部11を設けた棒状体若しくは板状体である。このスライド体６を本体２の貫通孔９に挿通し、手でスライド体６の基端部を押圧してスライドすることで、先端部の擬餌針体連結部４を露出させて擬餌針体３を着脱し得る構成である。
【００５３】
具体的には、本実施例のスライド体６は、ステンレス製の線材23の両端が対向するように線材23を長円形のＣ字状に折曲し、この線材23の両端の間に形成される間隙部14を長円形の先端部の側部に配設することで先端部にＪ字状のフック部10が形成されるように構成して、このフック部10を上述したスライド体６の先端部に設けた擬餌針体連結部４とした構成であり、上述の間隙部14がフック部10の端部に形成されるフック開口部14になる。
【００５４】
なお、本実施例ではフック部10をＪ字状に形成したが、線材23の先端を例えば１回転させた形状に形成することで更に確実な連結が可能となるようにしてもよい。
【００５５】
また、このフック開口部14を形成するフック部10の反対側の線材23部分を、付勢体５を装着する付勢体装着部24とし、更に、この付勢体装着部24の先端部（即ち、釣糸連結部11側）には、装着した付勢体５が釣糸連結部11側に移動しないように付勢体係止部25を設けている。
【００５６】
詳細には、この付勢体係止部25は、フック部10と対向する側の折り返し基端部側の線材23の一部をプレスして凹凸を設けて抜止部27を形成し、平板なリングワッシャ28をフック開口部14から挿通して、この抜止部27でリングワッシャ28を係止するように構成したものであり、このように構成した付勢体係止部25を付勢体装着部24に設け、この付勢体装着部24に後述するように付勢体５として螺旋バネを装着している。
【００５７】
このスライド体６は、先端部のフック部10の対向側となる折り返し基端部を釣糸連結部11にすると共に、このスライド体６をスライド操作する際の操作部とする構成であり、また、このスライド体６を貫通孔９に挿通した際、スライド体６の基端部が本体２から突出するように、このスライド体６の長さは本体２に設けた貫通孔９の長さより長く設定し、この貫通孔９にスライド体６を挿通して押圧した際、このスライド体６のフック部10が露出してフック開口部14が開放した状態になり、また、このフック部10に擬餌針体３を連結した状態で戻り付勢でフック部10が本体２に没入した際には、このフック部10のフック開口部14が閉塞されると共に、擬餌針体連結部４が露出するように構成している。
【００５８】
本実施例の付勢体５は、圧縮時の戻り付勢を有する螺旋バネであり、この螺旋バネをスライド体６に被嵌させて本体２に設けることで前記スライド体６をスライドさせた際に前記戻り付勢が生ずるように構成している。具体的には、この螺旋バネを上述の付勢体装着部24の線材23に装着し、この螺旋バネを装着したスライド体６をこのスライド体６の疑餌針体連結部４側から本体２の貫通孔９に挿通し、スライドすると、この螺旋バネは貫通孔９に設けられた係止部22としての段差及び、このスライド体６自体に設けられている付勢体係止部25の双方によって係止されることによって、本体２に対してスライド体６は戻り付勢を生ずる。
【００５９】
従って、本体２に設ける貫通孔９は、螺旋バネを装着したスライド体６を挿通させるように、扁平なスライド体６を挿通させる矩形断面形状の孔部と、このスライド体６に装着された螺旋バネを挿通させる円形断面形状の孔部とを備えており、更に、この円形断面形状の孔部は貫通させずに有底とすることによって貫通孔９の途中に係止部22を備えることで、スライド体６に装着した螺旋バネを係止するように構成している。
【００６０】
本考案の擬似餌15は上述のように構成したから、本体２に設けたスライド体６の基端部（即ち、釣糸連結部11）を手でスライドさせると、本体２に没入した状態のフック部10が露出してフック開口部14が開放した状態になって擬餌針体３を着脱可能になり、また、スライド体６から手を離すと、フック部10が本体２内に没入して戻ってフック開口部14が閉塞した状態になるから、擬餌針体３をフック部10に連結可能になる。
【００６１】
また、スライド体６は、この基端部である釣糸連結部11に釣糸１を連結できると共に、釣糸連結部11が本体２から突出した状態となるように設けたから、スライド体６の釣糸連結部11に釣糸１を連結して、このスライド体６を本体２内にスライド自在に設けた際、本体２から突出した釣糸連結部11を手で押圧してスライド体６をスライドさせると、擬餌針体連結部４が本体２から露出して擬餌針体３を着脱可能になるから、この釣糸連結部11を押圧してスライド体６をスライドさせるだけで擬餌針体３の着脱を速やかに行える簡易で実用的な構成になる。
【００６２】
また、スライド体６の基端部である釣糸連結部11に釣糸１を連結してこのスライド体６を本体２の貫通孔９に挿通し、スライド体６の先端部のフック部10（擬餌針体連結部４）に擬餌針体３を連結すると、擬餌針体３はスライド体６を介して釣糸１と連結された状態になると共に、このフック部10（擬餌針体連結部４）は付勢体５の付勢によって本体２内に没入してフック開口部14を閉塞した状態に維持するから、擬餌針体連結部４が本体２から露出して擬餌針体３を脱落する虞を可及的に低減した状態になり、確実に擬餌針体３を連結できる実用的な構成になる。
【００６３】
即ち、本実施例の擬似餌15は、スライド体６を手でスライドして擬餌針体連結部４を本体２から露出させて擬餌針体連結部４に擬餌針体３を着脱して、スライド体６をスライドしていた手を離すと擬餌針体連結部４が本体２に没入するから、スライド体６をスライド操作するだけの簡単な操作で擬餌針体３の着脱をワンタッチで行うことができ、使用状況や水域環境の変化に応じて擬似餌15を簡単確実に交換できることになる。
【００６４】
また、擬餌針体３を連結した擬餌針体連結部４は本体２に没入して目立ち難くできるため、擬餌針体３と本体２との一体感を増すことができて、不自然な動きを低減できることになり、集魚効果に優れる擬似餌になる。
【００６５】
本実施例のスライド体６は、本体２に設けた貫通孔９に挿脱自在に設けて、擬餌針体３だけではなく、本体２も交換できる構成としたが、スライド体６に抜け止め構造を設け、このスライド体６を本体２の貫通孔９に挿通した際、スライド体６が抜け止めされた状態でスライド体６がスライド自在になるように構成し、このスライド体６のフック部10を突没させてこのフック部10に擬餌針体３を着脱させるように構成してもよい。
【００６６】
尚、本考案は、実施例に限られるものではなく、各構成要件の具体的構成は適宜設計し得るものである。
【符号の説明】
【００６７】
１  釣糸
２  本体
３  擬餌針体
４  擬餌針体連結部
５  付勢体
６  スライド体
７  釣針体
８  擬似体
９  貫通孔
10  フック部
11  釣糸連結部
14  フック開口部
【図１】
0003172758.tif 000003
【図２】
0003172758.tif 000004
【図３】
0003172758.tif 000005
【図４】
0003172758.tif 000006
【図５】
0003172758.tif 000007
【図６】
0003172758.tif 000008
【図７】
0003172758.tif 000009